(57)【特許請求の範囲】
【請求項１】
データ処理手段を有する中央管理装置と、それぞれデータ処理手段を有する複数の遊技機に対応させて設けられる端末装置とよりなる遊技場における光通信システムにおいて、
一方に隣接する遊技機の端末装置より出射される光無線信号を受光する受信部と、他方に隣接する遊技機の端末装置の受信部に送信データに基づいて変調された光無線信号を出射する送信部とよりなる伝送ユニットを設けた遊技機に対応させて設けられる端末装置と、
上記の各遊技機を順次に隣接させて、中央管理装置から各遊技機を経て中央管理装置に至るループ状のデータウェイと、
を備え、
各遊技機の端末装置の受信部及び送信部が、対応する遊技機を支持する枠体に設けられる表示器の裏面で、対応する遊技機を支持する枠体を貫通して該枠体の裏側に突出する突起の先端部に設けられ、前記突起の先端部が送信側の伝送ユニットから出射される光無線信号及び受信側の伝送ユニットに入射される光無線信号の経路内と経路外とにわたって変位可能に設けられたことを特徴とする遊技場における光通信システム。
【請求項２】
データ処理手段を有する中央管理装置と、それぞれデータ処理手段を有する複数の端末装置とにわたってループ状のデータウェイが形成される光通信システムの遊技機の端末装置であって、
一方に隣接する遊技機の端末装置より出射される光無線信号を受光する受信部と、他方に隣接する遊技機の端末装置の受信部に送信データに基づいて変調された光無線信号を集光手段を介して出射する送信部とよりなる伝送ユニットを備え、
各端末装置の受信部及び送信部が、対応する遊技機を支持する枠体に設けられる表示器の裏面で、対応する遊技機を支持する枠体を貫通して該枠体の裏側に突出する突起の先端部に設けられ、前記突起の先端部が送信側の伝送ユニットから出射される光無線信号及び受信側の伝送ユニットに入射される光無線信号の経路内と経路外とにわたって変位可能に設けられたことを特徴とする遊技機の端末装置。
【請求項３】
前記伝送ユニットが、前記表示器と一体化された請求項２に記載の遊技機の端末装置。
【請求項４】
前記表示器の裏面に左右対をなす突起が設けられ、両突起のいずれか一方の先端部に送信側の端末装置から出射された光無線信号が入射され、その反対側の突起の先端部から光無線信号が出射されるようにした請求項３に記載の遊技機の端末装置。
【発明の詳細な説明】
【０００１】
【発明の属する技術分野】
本発明は、パチンコ遊技店におけるパチンコ台、パチスロ、プリペイドカード販売機、玉貸機、景品などの情報管理、ゲームセンターにおけるゲーム機情報管理など、遊技場における情報管理に適した光通信システム及びそれに使用される端末装置に関する。
【０００２】
【従来の技術】
遊技場、例えば、パチンコ店においては、各パチンコ台の稼働状況、プリペイドカードの販売状況、玉貸機の貸出状況、景品交換状況などを管理するためにコンピュータを用いた情報管理システムが用いられている。例えば各パチンコ台の稼働状況を管理する情報管理システムでは、データ処理手段を有する中央管理装置を設けると共に、各パチンコ台にデータ処理手段を有する端末装置を設け、中央管理装置と各端末装置との間で情報を交換するようにしている。
【０００３】
このような情報管理システムでは中央管理装置と各端末装置との間でデータを交換するための通信システムが必要とされ、この通信システムとしては、各端末装置と中央管理装置とを１対１で接続するものと、例えば特開昭６２−２７７９７９号公報に記載されているように、中央管理装置と各端末装置とにわたってループ状のデータウェイを形成するものとに大別される。
【０００４】
なお、中央管理装置と各端末装置との間、あるいは各端末装置間で使用される信号としては、導電ケーブルを用いた電気信号に限らず、光ファイバーケーブルを用いた光信号を用いることも試みられている。
【０００５】
【発明が解決しようとする課題】
各端末装置と中央管理装置とを１対１で接続する通信システムには、各端末装置と中央管理装置とを１対１で接続する多数の通信ケーブルが必要になり、パチンコ台の増設に簡単に対応できないことになる。また、信号減衰率の低い高価な通信ケーブルを使用しなければならないなどの問題がある。
【０００６】
そこで、通信ケーブルの数を削減するために、電磁波を用いる無線通信で各端末装置と中央管理装置とを１対１で接続することが考えられるが、この場合には、データの錯綜をなくすために、周波数分割多重、時分割多重あるいは符号分割多重等の高度な多重化方式を用いる必要がある上、外部干渉を受け易いという問題がある。また、パチンコ店のように、小エリアに多数の端末装置が密集する条件にあっては、多重化に限界が生じる恐れがある。
【０００７】
これに対して中央管理装置と各端末装置とにわたってループ状のデータウェイを形成する場合には、通信回線数は１本になり、又、各通信ケーブルの長さを短くできるので比較的信号低減率の高い安価な通信ケーブルを使用できる。
【０００８】
しかし、この場合には、例えばいずれかの端末装置が故障した時に、そのパチンコ台に対応する端末装置をスキップしてデータ通信を行うためには配線を切り替える必要があり、非常に面倒である。
【０００９】
又、中央管理装置と多数のパチンコ台を列設した、いわゆる島との間あるいは島と島との間で通信ケーブルを用いて通信すると、店内の美観が悪くなり、店内の美観を良くするために通信ケーブルを床下や天井裏に敷設するには面倒な工事が必要になる。
【００１０】
本発明は、上記の事情を鑑み、データ処理手段を有する中央管理装置と、それぞれデータ処理手段を有する複数の端末装置とにわたってループ状のデータウェイが形成される光通信システムにおいて、中央管理装置及び端末装置間の通信ケーブルを不要にすることにより、上記の諸問題を解決できるようにした光通信システム及びその端末装置を提供することを目的とする。
【００１１】
【課題を解決するための手段】
本発明に係る光通信システムは、上記の目的を達成するため、送信データに基づいて変調された光無線信号を出射する送信部と、光無線信号を受信する受信部とを備える伝送ユニットを前記中央管理装置及び各端末装置にそれぞれ設け、送信側の伝送ユニットの送信部と受信側の伝送ユニットの受信部とを直接に又は反射面を介して互いに対向させて送信側の伝送ユニットの送信部から出射した光信号を受信側の伝送ユニットの受信部に受光させる。また、各遊技機の端末装置の受信部及び送信部は、対応する遊技機を支持する枠体に設けられる表示器の裏面で、対応する遊技機を支持する枠体を貫通して該枠体の裏側に突出する突起の先端部に設けられ、前記突起の先端部が送信側の伝送ユニットから出射される光無線信号及び受信側の伝送ユニットに入射される光無線信号の経路内と経路外とにわたって変位可能に設けられている。
【００１２】
本発明の光通信システムによれば、前記中央管理装置と各端末装置とが先行する中央管理装置又は端末装置の送信部から出射され、その後続の端末装置又は中央管理装置の受信部に受光される光無線信号でシリアル接続される。
【００１３】
従って、構成が簡単で、通信ケーブルを敷設する必要はなく、通信ケーブルを敷設する工費と工期とが不要になる上、床下や天井に通信ケーブルを配線することなく店内の美観を良くすることができる。また、各遊技機の端末装置の受信部及び送信部を、光無線信号の経路外に移動させることにより、簡単に当該端末装置をスキップするデータウェイを形成することができ、１台の端末装置の故障によりシステム全体が停止することを防止できる。
【００１４】
又、本発明に係る光通信システムの端末装置は、上記の目的を達成するため、光無線信号を受信する受信部と、送信データに基づいて変調された光無線信号を前記受信部と反対方向に出射する送信部とを備える伝送ユニットを有し、前記受信部の受光光軸と前記送信部の出射光軸とが同軸上に配置される。そして、各端末装置の受信部及び送信部は、対応する遊技機を支持する枠体に設けられる表示器の裏面で、対応する遊技機を支持する枠体を貫通して該枠体の裏側に突出する突起の先端部に設けられ、前記突起の先端部が送信側の伝送ユニットから出射される光無線信号及び受信側の伝送ユニットに入射される光無線信号の経路内と経路外とにわたって変位可能に設けられている。
【００１５】
この光通信システムの端末装置によれば、送信側の伝送ユニットの送信部から出射される光信号の出射光軸と受信側の伝送ユニットの受信部に入射する光無線信号の入射光軸が直接に又は反射面を介して一致するように順に端末装置を並べることにより、光無線信号でシリアルに接続されるデータウェイを形成して前記本発明の光通信システムを構成することができる。加えて、各遊技機の端末装置の受信部及び送信部を、光無線信号の経路外に移動させることにより、簡単に当該端末装置をスキップするデータウェイを形成することができ、１台の端末装置の故障によりシステム全体が停止することを防止できる。
【００１６】
【発明の実施の形態】
以下、本発明の実施例を図面に基づいて具体的に説明する。
図２の斜視図に示すように、本発明の一実施例に係る光通信システムは、例えばパチンコ店の事務所（あるいは店内サービスカウンタ）内に設けたホストコンピュータ１を有し、このホストコンピュータ１が親送受信器２を介して第１の島３の島内中継機４にデータを例えば光（赤外線）を用いて伝送し、この島内中継機４で更に上記光信号を各島３に属する端末装置６に伝送するようにしている。以下、光として赤外線を用いた場合について更に説明する。
【００１７】
この島内中継機４から出射された赤外線信号は光ファイバー（あるいは適当な反射面）を介してその島３の第１のパチンコ台５に対応する端末装置６に入射され、第１のパチンコ台５に対応する端末装置６では受光した赤外線信号の中、自機に必要なデータを受け取って復調し、該端末装置６が制御するパチンコ台５の制御に使用し、また該パチンコ台より得られたデータを組み込んだ送信用データを形成し、該送信用データに基づいて赤外線搬送波を変調した赤外線信号を次のパチンコ台５に対応する端末装置６に出射する。
【００１８】
以下、順に各パチンコ台５に対応する端末装置６で同様の受信、復調、データ処理、変調及び発信を行い、第１の島３の最後のパチンコ台５に対応する端末装置６から出射された赤外線信号は光ファイバーを（あるいは適当な反射面）を介して第１の島３の島内中継機４に入射され、更に、この島内中継機４では受信した赤外線信号を次の島３の島内中継機４に伝送する。尚、各島３の島内中継機４間を接続する場合も、光ファイバーを用いるかあるいは適当な反射面を利用する構成とする。
【００１９】
次の島３で同じようにして島内中継機４と各端末装置６とにわたって順次赤外線信号を用いてデータ送信を行い、その島３の最後の端末装置６からその島内中継機４に赤外線信号を入力させた後、その島内中継機４から更に次の島３の島内中継機４にデータが送信される。
【００２０】
このようにして全ての島３の端末装置６にわたってデータが順に送信され、最後のパチンコ台５に対応する端末装置６から最後の島３の島内中継機４に送信されたデータがその島内中継機４から親送受信器２に伝送され、更に、ホストコンピュータ１に入力される。
【００２１】
なお、親送受信器２から第１の島３の島内中継機４へのデータ伝送及び最後の島３の島内中継機４から親送受信器２へのデータ伝送あるいは各島の中継機４の間のデータ伝送は上記のように光（赤外線）信号を用いても、電磁波信号を用いてもよい。
【００２２】
このようにしてホストコンピュータ１と各端末装置６とにわたる赤外線通信のループ状のデータウェイが形成され、このループ状のデータウェイを介して順次行われるデータ伝送は所定の周期で繰り返して行われ、ホストコンピュータ１では入力したデータに基づいて各パチンコ台５の稼働状態に関する種々のデータを作成し、必要に応じて記録する。
【００２３】
ところで、図３の回路ブロック図に示すように、各パチンコ台５に備えられた端末装置６には、伝送ユニット７とデータ処理部としてのＣＰＵ８とが設けられ、この伝送ユニット７は島内中継機４あるいは先行する端末装置６からの赤外線信号を受信する受信部７１と、受信回路７２と、送信回路７３と、後続の端末装置６あるいは島内中継機４に赤外線信号を出射する送信部７４とを備える。
【００２４】
前記受信部７１には赤外線信号を受信して電気信号に変換する受光素子７１ａが設けられ、前記受信回路７２は受信部７１から出力される電気信号を復調する復調部７２ａと、復調部７２ａで復調されたデータを記憶する受信レジスタ手段７２ｂとを備える。
【００２５】
前記ＣＰＵ８は受信レジスタ手段７２ｂから受信データを読み取り、ホストコンピュータ１から当該端末装置６に伝送されたデータに基づいて端末装置６を制御するとともに、例えば当該端末装置６に対応するパチンコ台５から与えられたデータで受信データの対応する部分を書替えて送信データを作成するなどのデータ処理を行うようにしている。
【００２６】
前記送信回路７３は、このデータ処理部８で作成された送信データを記憶する送信レジスタ手段７３ａと、送信レジスタ手段７３ａに記憶されたデータに基づいて送信部７４の赤外線発光素子７４ａの出力を変調する変調部７３ｂとを備えている。
【００２７】
図２に示すように、各端末装置６は各島３で多数のパチンコ台５を並べて支持する島の枠体９の対応するパチンコ台５の上側に配置され、図４の正面図及び図１の平面図に示す表示器１０と以下のようにして一体化して、これにより、全体としての部品点数を削減できるようにしている。
【００２８】
この表示器１０は、図４に示すように、その正面の左右両側にランプ１１を備え、又、その正面の中央部にパチンコ台５の遊技者にメッセージを与える表示部１２が設けられる。なお、図４において、Ｓ１，Ｓ２はセンサ、Ｄ１，Ｄ２は台データ入出力部である。
【００２９】
更に、図１に示すように、この表示器１０内には、これらランプ１１及び表示部１２を支持するフロント基板１３と、前記受信部７１の受光素子７１ａ、受信回路７２、ＣＰＵ８、送信回路７３及び送信部７４の発光素子７４ａを支持するメイン基板１４が設けられる。
【００３０】
このように、伝送ユニット７のうち受信部７１の受光素子７１ａ、受信回路７２、ＣＰＵ８、送信回路７３及び送信部７４の発光素子７４ａをメイン基板１４に支持させることは、伝送ユニット７を表示器１０に組み込む作業の作業性を高める上で非常に有利になる。
【００３１】
又、この表示器１０の裏面にはその左右両端部から島３の枠体９の内側に直角に突出する左右１対の中空の突起１５が設けられ、前記受信部７１の受光素子７１ａはメイン基板１４の左右方向の一端部（図１上では左端部）の裏面側端部に受光軸がその端部の突起１５の軸心に沿うように、突起１５の先端側に向けて配置される。
【００３２】
この突起１５の先端部内には一側（図４上では左側）からこの先端部に入射する赤外線信号を直角に反射する反射面７１ｂと、この反射面７１ｂに入射する赤外線信号を受光素子７１ａ上に収束させる受光レンズ７１ｃとが設けられ、この端末装置６に赤外線信号を送信する送信側の端末装置６から出射された赤外線信号はこの受光レンズ７１ｃを通り、反射面７１ｂで反射されて受光素子７１ａに受光される。
【００３３】
又、前記送信部７４の発光素子７４ａはメイン基板１４の左右方向の反対端部（図４上では右端部）の裏面側端部に出射光軸がその端部の突起１５の軸心に沿うように、突起１５の先端側に向けて配置される。
【００３４】
この突起１５の先端部内にはこの発光素子７４ａから出射する赤外線信号を反対側（図４上では右側）に、かつ、受光レンズ７１ｃへの入射光軸と同軸の位置で直角に反射する反射面７４ｂと、この反射面７４ｂで反射された赤外線信号の分散を防止する集光手段としての出射レンズ７４ｃとが設けられ、前記発光素子７４ａから出射される赤外線信号は反射面７４ｂで反射して、送信側から受光レンズ７１ｃに入射する入射光軸と同軸の位置で出射レンズ７４ｃからこの赤外線信号を受信する受信側の端末装置６の突起１５の先端部に向けて出射される。ここで、上記集光手段としては、出射レンズ７４ｃに限らず、通信媒体として用いられる光信号の種類や、後続する受信側との位置関係に応じて、他の端末装置６との相互干渉が防止できるものであれば種々の構成が採用できる（例えば、場合によっては単なるスリット等でもよい）。
【００３５】
このようにすれば、各島３の枠体９の内側にデータウェイが形成されるので、データウェイが遊技者の悪戯などによって遮られることを防止でき、又、店内に流れるたばこの煙によって赤外線信号が乱されることを防止できるので有利である。
【００３６】
又、枠体９に取り付けられる表示器１０に受信部７１と送信部７４が組み込まれているので、メンテナンス、サービスなどのためにパチンコ台５を開いてもデータウェイが確保されるという利点が得られる。
【００３７】
なお、表示器１０の裏面の中央部には対応するパチンコ台５と表示器１０内の電気回路とを接続するコードを引き出す配線ダクトと表示器１０を枠体９に固定するための取付けねじを兼ねるネジパイプ１６が突設され、又、枠体９にはこれら突起１５及びネジパイプ１６に対応する３つの貫通孔１７が形成される。
【００３８】
これにより、中央の貫通孔１７にパチンコ台５と表示器１０内の電気回路とを接続するコードを通し、表示器１０の両突起１５及びこのネジパイプ１６を枠体９に形成した３つの貫通孔１７に挿通し、枠体９の内側からナット１８を前記ネジパイプ１６に螺締して表示器１０の裏面を枠体９に受け止められるまで引き寄せるという簡単な作業で表示器１０を枠体９の所定の位置に簡単に固定でき、しかも、隣接する２台の各端末装置６の発光素子７４ａを反射面７４ｂ、出射レンズ７４ｃ、入射レンズ７１ｃ及び反射面７１ｂを介して光学的に互いに対向する位置に正確に位置させることができる。
【００３９】
上記両突起１５は、図１に示すように、中間部で分割され、蝶番１９で連結した構造にしてある。そして、図５の平面図に示すように、受光側の突起１５を中間部で折り曲げることにより、受信部７１の受光レンズ７１ｃ及び反射面７１ｂを隣接する表示器１０の前記突起１５の先端部から出射される赤外線信号の経路内から経路外に変位され、又、送信側の突起１５を中間部で折り曲げることにより、送信部７４の反射面７４ｂ及び出射レンズ７４ｃを隣接する表示器１０の前記突起１５の先端部に入射される赤外線信号の経路内から経路外に変位されるようにしている。
【００４０】
なお、各突起１５の先端部は、伸ばした位置と折り曲げた位置との２箇所で図示しない位置決め機構により位置決めできるようにしている。
図５に示すように、例えば故障した端末装置６の突起１５を中間部で折り曲げることにより、この故障した端末装置６に赤外線信号を出射する送信側の端末装置６から、この故障した端末装置６から赤外線信号を受光する受信側の端末装置６に、故障した端末装置６をスキップして直接に赤外線信号を送信でき、１台の端末装置６の故障によりシステム全体が止まることを防止できるようになる。
【００４１】
又、故障した端末装置６を正常な端末装置６と交換した後、あるいは、修理した後、図１に示すように、折り曲げた突起１５を伸ばすと、この端末装置６を経由するデータウェイを簡単に復旧することができる。
【００４２】
更に、島３の長さを延長してパチンコ台５を増設する場合には、既設のパチンコ台５に加えて並べられた増設パチンコ台５に対応する端末装置６を枠体９に取り付けるだけで、増設された端末装置６を経由するループ状のデータウェイを簡単に形成することができる。
【００４３】
又更に、島３を増設してパチンコ台５を増設する場合には、増設した島３の島内中継機４と各増設パチンコ台に対応する端末装置６にわたるループ状のデータウェイを増設するだけで、簡単に拡張されたループ状のデータウェイを形成することができる。
【００４４】
加えて、パチンコ台５の数を削減する場合も同じように簡単に縮小されたデータウェイを形成することができる。
なお、上記の実施例において、各突起１５を途中で折り曲げることに代えて、突起１５を蛇腹構造、二重管構造などによりその軸心方向に伸縮可能に形成し、突起１５を短縮することにより受信部７１の受光レンズ７１ｃ及び反射面７１ｂを隣接する表示器１０の前記突起１５の先端部から出射される赤外線信号の経路内から経路外に変位させ、又、送信側の突起１５を短縮することにより、送信部７４の反射面７４ｂ及び出射レンズ７４ｃを隣接する表示器１０の前記突起１５の先端部に入射される赤外線信号の経路内から経路外に変位させるようにしてもよい。
【００４５】
本発明の他の実施例では、図６の平面図に示すように、表示器１０の裏面の中央部に突起１５が設けられ、左右両側部にネジパイブ１６が設けられる。そして、前記突起１５の左右両面の一方に発光素子７４ａと出射レンズ７４ｃが、その反対面に受光素子７１ａと受光レンズ７１ｃが設けられる。
【００４６】
上記両突起１５は、上記の実施例と同様中間部で分割され、蝶番１９で連結した構造にし、該突起１５を中間部で折り曲げることにより、この端末装置６をスキップするデータウェイを形成できるようにしてある。
【００４７】
なお、この実施例においては、突起１５とネジパイプ１６との高さを同じにしてもよいが、ネジパイプ１６、これに螺合されるナット１８及びネジパイプ１６に挿通されるコードが赤外線信号の通信を妨げることを確実に防止するため、突起１５をネジパイプ１６よりも高く位置させることが好ましい。
【００４８】
又、この実施例のその他の構成、作用ないし効果は上記の一実施例のそれらと同様であるので、重複を避けるためこれらの説明は省略する。
以上の各実施例では、各島３において、枠体９の内側にデータウェイが形成されているが、枠体９の外側にデータウェイを形成することも可能である。
【００４９】
即ち、例えば図７の正面図に示すように、表示器１０の枠体９よりも外側の左右両側部の一方に発光素子７４ａと出射レンズ７４ｃが、その反対面に受光素子７１ａと受光レンズ７１ｃが設けられる。
【００５０】
なお、これら出射レンズ７４ｃ及び受光レンズ７１ｃは合成樹脂からなる表示器１０のカバーケースと一体に成形することができる。
この実施例のその他の構成、作用ないし効果は上記の一実施例のそれらと同様であるので、重複を避けるためこれらの説明は省略する。
【００５１】
以上の実施例で端末装置６を表示器１０に組み込んだ場合についてのみ説明したが本願発明は上記に限定されず、例えば端末装置６が表示器１０に外付けされている場合も当然含むものとする。
【００５２】
【発明の効果】
以上に説明したように、本発明の赤外線通信システムによれば、送信側の前記中央管理装置又は端末装置の送信部から赤外線信号を出射し、この送信部に直接に又は反射面を介して対向させた受信側の端末装置又は中央管理装置の受信部に入射させるので、通信ケーブルが不要になる。
【００５３】
従って、通信ケーブルを敷設する工費および工期が不要になる利点がある。  又、パチンコ台などの遊技機の台数を増減する場合でも、増減される遊技機に対応して端末装置を増減することにより、簡単に、かつ、安価にデータウェイを形成することができる効果が得られる。
【００５４】
更に、店内あるいはその近傍で使用される携帯電話等の無線機器によって信号が乱される恐れはなくなり、これら妨害電波による誤動作が生じる恐れがなくなる効果が得られる。
【００５５】
加えて、店内の床下あるいは天井裏に配線をすることなく、店内の美観を良くすることができる効果を得ることができる。
本発明の赤外線通信システムにおいて、特に各遊技機に対応させて該遊技機を支持する枠の該遊技機の上側の部分に遊技者に情報を表示する表示器が設けられ、前記端末装置が各表示器と一体化されている場合には、表示器の設置と同時に端末装置を設置することができ、工費を一層節約できる上、工期を一層短縮することができる効果が得られる。
【００５６】
又、この場合に、表示器の裏面に前記枠体の裏側に突出する左右対をなす突起が設けられ、両突起の一方の先端部に送信側の伝送ユニットから出射された赤外線信号を受光させ、その反対側の突起の先端部から受信側の伝送ユニットに赤外線信号を出射させると、前記枠体の内側にデータウェイを形成することができ、枠体９の内側にデータウェイが形成されるので、データウェイが遊技者の悪戯などによって遮られることを防止でき、又、店内に流れるたばこの煙によって赤外線信号が乱されることを防止できる効果が得られる。
【００５７】
更に、このようにしてデータウェイを枠体の内側に形成する場合に、前記突起の先端部が送信側の伝送ユニットから出射される赤外線信号及び受信側の伝送ユニットに入射される赤外線信号の経路内と経路外とにわたって変位可能に設けられると、この先端部を赤外線信号の経路外に移動させることにより、簡単に当該端末装置をスキップするデータウェイを形成することができ、１台の端末装置の故障によりシステム全体が停止することを防止できる効果が得られる。
【図面の簡単な説明】
【図１】本発明の表示器及び端末装置の平面図である。
【図２】本発明に係る赤外線通信システムの構成を概略的に示す斜視図である。
【図３】本発明の端末装置の回路ブロック図である。
【図４】本発明が適用されたパチンコ台の正面図である。
【図５】本発明の表示器の平面図である。
【図６】本発明の平面図である。
【図７】本発明が適用されたパチンコ台の正面図である。
【符号の説明】
１  ホストコンピュータ
２  親送受信器
４  島内中継機
５  パチンコ台
６  端末装置
９  枠体
１０  表示器
１５  突起
７  伝送ユニット
７１  受信部
７４  送信部
【図１】
0003854336.tif 000002
【図２】
0003854336.tif 000003
【図３】
0003854336.tif 000004
【図４】
0003854336.tif 000005
【図５】
0003854336.tif 000006
【図６】
0003854336.tif 000007
【図７】
0003854336.tif 000008